(57)【要約】【課題】伝送回路の立ち上がり遅延時間と立ち下り遅延時間の違いに起因する波形歪みを防止するとともに高速な信号伝送を行なうことができ、設計変更や温度変化による特性変動にも強い信号伝送方法および信号伝送装置を実現する。【解決手段】入力信号に対する出力信号の立ち上がりタイミングの遅延時間と立ち下りタイミングの遅延時間とが異なる伝送手段を介して信号源から受信機器へパルス信号を伝送する信号伝送方法において、前記パルス信号を論理反転させ、この論理反転させた信号を前記第１の伝送手段とは別に設けた第２の伝送手段で伝送し、前記第１の伝送手段と前記第２の伝送手段のそれぞれの伝送信号の立ち上がりタイミング、または立ち下りタイミングを組み合わせて前記信号源から受信したパルス信号を再生することを特徴とする。【選択図】図１
2008016949.tif 000002
【特許請求の範囲】
【請求項１】
入力信号に対する出力信号の立ち上がりタイミングの遅延時間と立ち下りタイミングの遅延時間とが異なる伝送手段を介して信号源から受信機器へパルス信号を伝送する信号伝送方法において、
前記パルス信号を論理反転させ、
この論理反転させた信号を前記第１の伝送手段とは別に設けた第２の伝送手段で伝送し、
前記第１の伝送手段と前記第２の伝送手段のそれぞれの伝送信号の立ち上がりタイミング、または立ち下りタイミングを組み合わせて前記信号源から受信したパルス信号を再生することを特徴とする信号伝送方法。
【請求項２】
前記第２の伝送手段は、前記第１の伝送手段と同一に構成することを特徴とする請求項１に記載の信号伝送方法。
【請求項３】
前記パルス信号を再生する動作は、伝送信号の立ち上がりタイミングまたは立ち下りタイミングのうち、前記第１の伝送手段において遅延時間の小さい方のタイミングの組み合わせを利用することを特徴とする請求項１または２に記載の信号伝送方法。
【請求項４】
入力信号に対する出力信号の立ち上がりタイミングの遅延時間と立ち下りタイミングの遅延時間とが異なる伝送回路を介して信号源から受信機器へパルス信号を伝送する信号伝送装置において、
前記パルス信号を論理反転させる反転回路と、
前記第１の伝送回路とは別に設けられ、前記反転回路の出力信号を伝送する第２の伝送回路と、
前記第１の伝送回路と前記第２の伝送回路のそれぞれの伝送信号の立ち上がりタイミング、または立ち下りタイミングを組み合わせて前記信号源から受信したパルス信号を再生する信号再生部と、
を有することを特徴とする信号伝送装置。
【請求項５】
前記第２の伝送回路は、前記第１の伝送回路と同一の回路構成とすることを特徴とする請求項４に記載の信号伝送装置。
【請求項６】
前記信号再生部は、伝送信号の立ち上がりタイミングまたは立ち下りタイミングのうち、前記第１の伝送回路において遅延時間の小さい方のタイミングの組み合わせを利用することを特徴とする請求項４または５に記載の信号伝送装置。
【発明の詳細な説明】
【技術分野】
【０００１】
本発明は、デジタル信号などのパルス信号を伝送するための信号伝送方法および信号伝送装置に関するものである。
【背景技術】
【０００２】
図４は従来の信号伝送回路を示す図である。フォトカプラ１１は発光ダイオード１１ａとフォトトランジスタ１１ｂからなり、発光ダイオード１１ａのアノードは抵抗Ｒ１１，Ｒ１２を介して信号源側の電源ＶＤＤａに接続されている。発光ダイオード１１ａのカソードはＦＥＴ１２のドレイン端子に接続されている。ＦＥＴ１２のゲート端子は信号源２に接続され、ソース端子は信号源側のグランドＧＮＤａに接続されている。フォトトランジスタ１１ｂのコレクタ端子は、負荷抵抗Ｒ１３を介して受信機器側の電源ＶＤＤｄに接続されるとともに、シュミットトリガ１３の入力端子に接続されている。シュミットトリガ１３の出力端子は受信機器３に接続され、入力信号の反転信号を出力する。フォトトランジスタ１１ｂのエミッタ端子は受信機器側のグランドＧＮＤｄに接続されている。
【０００３】
このような伝送回路は、デジタル回路で生じるノイズをアナログ回路に伝播させないようにする目的で設けられる一般的なものであり、デジタル回路とアナログ回路のグランドを絶縁してデータ等を伝送する。
【０００４】
図中の信号源２の例としては、ＲＳ２３２やＲＳ４２２等に代表される非同期シリアル通信のレシーバや、ＣＰＵなどのマイクロコンピュータなどが考えられる。受信機器３の例としては、同様にＣＰＵなどのマイクロコンピュータやＦＰＧＡなどのＬＳＩが考えられる。
【０００５】
信号源２の出力がローレベルになると、ＦＥＴ１２はオンしないためドレイン−ソース間に電流が流れず、発光ダイオード１１ａも発光しない。そのためフォトトランジスタ１１ｂはオンせず、シュミットトリガ１３の入力端子はハイレベルとなる。シュミットトリガ１３は入力を反転させ、受信機器３にはローレベルの信号が伝送される。
【０００６】
信号源２の出力がハイレベルになると、ＦＥＴ１２がオンしてドレイン−ソース間に電流が流れ、発光ダイオード１１ａが発光する。そのためフォトトランジスタ１１ｂがオンしてシュミットトリガ１３の入力端子はローレベルとなる。シュミットトリガ１３は入力を反転させ、受信機器３にはハイレベルの信号が伝送される。
これにより、伝送回路１は信号源側と受信機器側とを絶縁しながら、信号を伝送することができる。
【０００７】
【特許文献１】特開２００３−２９８５２２号公報
【発明の開示】
【発明が解決しようとする課題】
【０００８】
しかしながら、上記のような回路では、フォトカプラ１１の出力の立ち上がりの遅延時間と立ち下りの遅延時間に差が生じるため、伝送信号の波形が歪み、受信機器３において正常に信号の受信ができない場合が生じてしまう。
【０００９】
図５は一般的なフォトカプラの特性を示す図である。図中のＩＦは発光側（発光ダイオード側）の直流順電流、ＩＯは受光側（フォトトランジスタ側）の出力電流、ｔｐＨＬは立下り遅延時間、ｔｐＬＨは立ち上がり遅延時間である。（ａ）はフォトカプラの変換効率の温度特性、（ｂ）はｔｐＨＬとｔｐＬＨの定義を示す図、（ｃ）は負荷抵抗と遅延時間の関係、（ｄ）は周囲温度と遅延時間の関係を示している。
【００１０】
フォトカプラの変換効率は低温側で低下するため（図５（ａ））、受光側の出力電流が低下する。そのため、低温で動作させる場合には負荷抵抗Ｒ１３の抵抗値を大きい値に設定する必要がある。
しかし、負荷抵抗Ｒ１３の抵抗値を大きい値に設定すると、常温〜高温で動作させた場合のフォトカプラ出力の立ち上がり遅延時間が増大する（図５（ｃ）、（ｄ））。そのため立ち上がり遅延時間ｔｐＬＨと立ち下り遅延時間ｔｐＨＬの差が増大し、伝送信号の波形が歪んでしまう。
【００１１】
図６は図４の信号伝送回路の高温時の信号伝送のタイミングチャートであり、（ａ）は信号源２の電圧Ｖ１１、（ｂ）はフォトトランジスタ１１ｂのコレクタ端子の電圧Ｖ１２、（ｃ）はシュミットトリガ１３の出力、すなわち受信機器３が受信する電圧Ｖ１３を示したものである。
【００１２】
信号源２は、時刻Ｔ１において電圧Ｖ１１をハイレベルからローレベルに立ち下げ、その後ｔ１期間ローレベルを維持する。時刻Ｔ２において電圧Ｖ１１をローレベルからハイレベルに信号を立ち上げ、その後ｔ２期間ハイレベルを維持し、時刻Ｔ３において再度ローレベルに立ち下げる。信号源２から出力した時点での信号のＤｕｔｙ比は、Ｄｕｔｙ１＝ｔ２／（ｔ１＋ｔ２）となる。
【００１３】
負荷抵抗Ｒ１３の抵抗値が大きい場合には、フォトカプラ出力Ｖ１２はＶ１１に対し遅延する。そのため信号の電圧レベルがシュミットトリガ１３のスレッショルド値を超えるまでに時間がかかり、シュミットトリガ１３が信号を反転させるまでの時間が遅延してしまう。その結果、Ｖ１３は、時刻Ｔ１よりも遅れて時刻Ｔ４に立ち下り、時刻Ｔ２よりも遅れて時刻Ｔ５に立ち上がる。
【００１４】
このとき、負荷抵抗Ｒ１３の抵抗値が大きいほど、また、動作温度が高温になるほど、フォトカプラ出力の立ち上がり遅延時間と立ち下り遅延時間との差が増大する。そのため、時刻Ｔ４−Ｔ５のｔ３期間と、時刻Ｔ５−Ｔ６のｔ４期間の差が大きくなり、受信機器３に到達した時点での信号のＤｕｔｙ比は、Ｄｕｔｙ２＝ｔ４／（ｔ３＋ｔ４）となる。
【００１５】
このように、信号の伝送の際の立ち上がり遅延時間と立ち下り遅延時間が異なる場合には、伝送信号の波形が歪んでしまい、受信機器３で信号を正常に受信できない場合が生じる。また、ＰＷＭ（Ｐｕｌｓｅ  Ｗｉｄｔｈ  Ｍｏｄｕｌａｔｉｏｎ：パルス幅制御）のようにパルス幅が重要な信号では、Ｄｕｔｙ比の変化は非常に問題である。
【００１６】
信号の伝送速度が高速で、かつ要求される動作温度範囲が広い（例えば産業用製品では−５５℃〜＋８５℃）場合には、上記のような問題が顕著に現れる。
【００１７】
要求される動作温度範囲や伝送速度に対し、十分な動作温度範囲と伝送速度を有するフォトカプラを用いれば問題ない。しかし、現在汎用のフォトカプラの伝送速度は最高でも１Ｍｂｐｓ程度であり、それ以上の伝送速度が要求されるような場合には特殊用途のフォトカプラに限定されてしまい、コストおよび入手性に問題がある。
【００１８】
上記のような伝送信号の歪みの問題を解決する方法として、特許文献１のような方法も提案されている。これは、伝送する信号の波形によって、信号源において信号のレベルを遷移させるタイミングを、フォトカプラ出力の遅延時間の分だけ変化させるというものである。
【００１９】
しかし、特許文献１のような方法では、伝送信号の波形の形状によって出力タイミングを変化させる必要があるかどうかを常時解析しなければならず、信号源に新たに判断回路を設けなければならない。また、設計変更等によりフォトカプラや抵抗値など周辺部品が変更になった場合には、フォトカプラ出力の遅延時間も変わるため、信号源の判断回路も併せて修正しなければならならず、煩雑である。さらに、動作中の温度変化による特性変化に対応することができないという問題がある。
【００２０】
本発明は、上記のような従来技術の問題をなくし、伝送回路の立ち上がり遅延時間と立ち下り遅延時間の違いに起因する波形歪みを防止するとともに高速な信号伝送を行なうことができ、設計変更や温度変化による特性変動にも強い信号伝送方法および信号伝送装置を実現することを目的とする。
【課題を解決するための手段】
【００２１】
上記のような目的を達成するために、本発明の請求項１では、入力信号に対する出力信号の立ち上がりタイミングの遅延時間と立ち下りタイミングの遅延時間とが異なる伝送手段を介して信号源から受信機器へパルス信号を伝送する信号伝送方法において、
前記パルス信号を論理反転させ、
この論理反転させた信号を前記第１の伝送手段とは別に設けた第２の伝送手段で伝送し、
前記第１の伝送手段と前記第２の伝送手段のそれぞれの伝送信号の立ち上がりタイミング、または立ち下りタイミングを組み合わせて前記信号源から受信したパルス信号を再生することを特徴とする。
【００２２】
請求項２では、請求項１に記載の信号伝送方法において、前記第２の伝送手段は、前記第１の伝送手段と同一に構成することを特徴とする。
【００２３】
請求項３では、請求項１または２に記載の信号伝送方法において、前記パルス信号を再生する動作は、伝送信号の立ち上がりタイミングまたは立ち下りタイミングのうち、前記第１の伝送手段において遅延時間の小さい方のタイミングの組み合わせを利用することを特徴とする。
【００２４】
請求項４では、入力信号に対する出力信号の立ち上がりタイミングの遅延時間と立ち下りタイミングの遅延時間とが異なる伝送回路を介して信号源から受信機器へパルス信号を伝送する信号伝送装置において、
前記パルス信号を論理反転させる反転回路と、
前記第１の伝送回路とは別に設けられ、前記反転回路の出力信号を伝送する第２の伝送回路と、
前記第１の伝送回路と前記第２の伝送回路のそれぞれの伝送信号の立ち上がりタイミング、または立ち下りタイミングを組み合わせて前記信号源から受信したパルス信号を再生する信号再生部と、
を有することを特徴とする。
【００２５】
請求項５では、請求項４に記載の信号伝送装置において、前記第２の伝送回路は、前記第１の伝送回路と同一の回路構成とすることを特徴とする。
【００２６】
請求項６では、請求項４または５に記載の信号伝送装置において、前記信号再生部は、伝送信号の立ち上がりタイミングまたは立ち下りタイミングのうち、前記第１の伝送回路において遅延時間の小さい方のタイミングの組み合わせを利用することを特徴とする。
【発明の効果】
【００２７】
このように、本来の（第１の）伝送回路とは別に設けた第２の伝送回路で論理反転した信号を伝送し、それぞれの伝送回路の伝送信号の立ち上がりタイミング、または立ち下りタイミングを組み合わせて信号源から受信したパルス信号を再生することにより、伝送回路の立ち上がり遅延時間と立ち下り遅延時間の違いに起因する波形歪みを防止することができる。
【００２８】
また、請求項２や請求項５によれば、第２の伝送回路と第１の伝送回路とが同一の回路構成であるため、それぞれの伝送回路における特性変動を統一化することができる。そのため、温度変化が起こった場合でもそれぞれの伝送回路において立ち上がり、立ち下り遅延時間の変動が同じ量となり、引き続き波形歪みを防止することができる。また、本来の伝送回路の使用部品を変更するような場合には、第２の伝送回路においても機械的に同じ変更を施せばよいため、設計変更にも容易に対応することができる。
【００２９】
さらに、請求項３や請求項６によれば、立ち上がりタイミングまたは立ち下りタイミングのうち遅延時間の小さい方を利用するため、パルス信号を再生した際に遅延時間を小さくすることができ、高速な信号伝送を行なうことができる。また、これにより、高速な伝送速度と広い動作温度範囲が要求されるようなシステムにおいても、安価で一般的なフォトカプラを用いて伝送回路を構成することができ、コストおよび入手性の点で優れる。
【発明を実施するための最良の形態】
【００３０】
以下、図面を用いて本発明の信号伝送方法および信号伝送装置を説明する。
【実施例１】
【００３１】
図１は、本発明の信号伝送方法および信号伝送装置の一実施例を示す図である。図１は、従来例の図４の伝送回路１を第１の伝送回路と記載を変え、さらに信号を論理反転させるインバータ４、第２の伝送回路５、信号再生部６を追加した構成となっている。
【００３２】
信号源２の例としては、従来例と同様に、ＲＳ２３２やＲＳ４２２等に代表される非同期シリアル通信のレシーバや、ＣＰＵなどのマイクロコンピュータなどが考えられる。受信機器３の例としては、同様にＣＰＵなどのマイクロコンピュータやＦＰＧＡなどのＬＳＩが考えられる。
【００３３】
第２の伝送回路５は、第１の伝送回路１と同一の回路構成とし、部品も同じ種類、同じ抵抗値のものを使用する。
フォトカプラ２１は発光ダイオード２１ａとフォトトランジスタ２１ｂからなり、発光ダイオード２１ａのアノードは抵抗Ｒ２１，Ｒ２２を介して信号源側の電源ＶＤＤａに接続されている。発光ダイオード２１ａのカソードはＦＥＴ２２のドレイン端子に接続されている。ＦＥＴ２２のゲート端子は信号源２に接続され、ソース端子は信号源側のグランドＧＮＤａに接続されている。フォトトランジスタ２１ｂのコレクタ端子は、負荷抵抗Ｒ２３を介して受信機器側の電源ＶＤＤｄに接続されるとともに、シュミットトリガ２３の入力端子に接続されている。フォトトランジスタ２１ｂのエミッタ端子は受信機器側のグランドＧＮＤｄに接続されている。
第１および第２の伝送回路の出力は、それぞれ信号再生部６に接続される。
【００３４】
第１の伝送回路１には信号源２から出力されたパルス信号がそのまま入力され、第２の伝送回路５にはインバータ４によって論理反転されたパルス信号が入力される。
【００３５】
信号源２の出力がローレベルになると、第２の伝送回路１にはハイレベルが入力される。ＦＥＴ２２がオンしてドレイン−ソース間に電流が流れ、発光ダイオード２１ａが発光する。そのためフォトトランジスタ２１ｂがオンしてシュミットトリガ２３の入力端子はローレベルとなる。シュミットトリガ２３は入力を反転させ、信号再生部６にはハイレベルの信号が入力される。
【００３６】
信号源２の出力がハイレベルになると、ＦＥＴ２２はオンしないためドレイン−ソース間に電流が流れず、発光ダイオード２１ａも発光しない。そのためフォトトランジスタ２１ｂはオンせず、シュミットトリガ２３の入力端子はハイレベルとなる。シュミットトリガ２３は入力を反転させ、信号再生部６にはローレベルの信号が入力される。
これにより、第２の伝送回路５は信号源側と信号再生部６とを絶縁しながら、論理反転された信号を伝送することができる。
【００３７】
図２は第１および第２の伝送回路の高温時の信号伝送のタイミングチャートであり、（ａ）は第１の伝送回路の電圧Ｖ１１〜Ｖ１３、（ｂ）は第２の伝送回路の電圧Ｖ２１〜Ｖ２３、（ｃ）は信号再生部６におけるパルス信号の再生信号Ｖｏｕｔを示すものである。
【００３８】
電圧Ｖ１１〜Ｖ１３の測定位置は、図４と同じである。電圧Ｖ２１〜Ｖ２３はそれぞれ第１の伝送回路１のＶ１１〜Ｖ１３の測定位置に相当する位置の電圧であり、電圧Ｖ２１は第２の伝送回路５の入力電圧、電圧Ｖ２２はフォトトランジスタ２１ｂのコレクタ端子の電圧、電圧Ｖ２３はシュミットトリガ２３の電圧である。
【００３９】
図２（ａ）において、信号源２は、時刻Ｔ１において電圧Ｖ１１をハイレベルからローレベルに立ち下げ、時刻Ｔ２においてローレベルからハイレベルに立ち上げる。その後時刻Ｔ３において再度電圧Ｖ１１をハイレベルからローレベルに立ち下げる。電圧Ｖ１１〜Ｖ１３の波形は図６のタイミングチャートと同じになる。
【００４０】
電圧Ｖ１２は、電圧Ｖ１１の立ち上がりに対する遅延量は小さいが、立ち下りに対しては大きく遅延する。これにより電圧Ｖ１３は、時刻Ｔ２における電圧Ｖ２１の立ち下り変化に対する遅延量は小さくなり、時刻Ｔ１、Ｔ３における立ち下り変化に対する遅延量は大きくなる。
【００４１】
一方、電圧Ｖ２１は電圧Ｖ１１に対し論理反転した波形となるため、時刻Ｔ１でローレベルからハイレベルに立ち上がり、時刻Ｔ２でローレベルに立ち下り、時刻Ｔ３において再度ハイレベルに立ち上がる。
【００４２】
第２の伝送回路５は、第１の伝送回路１と同じ回路構成であることから、第１の伝送回路１と同じ遅延特性を有する。そのため、電圧Ｖ２２の電圧Ｖ２１の立ち上がりに対する遅延量は小さく、立ち下りに対する遅延量は大きくなる。これにより電圧Ｖ２３は、図２（ｂ）のように、時刻Ｔ２における電圧Ｖ２１の立ち下り変化に対する遅延量は大きくなり、時刻Ｔ１、Ｔ３における立ち下り変化に対する遅延量は小さくなる。
【００４３】
第１の伝送回路１では、時刻Ｔ２における電圧Ｖ１１のレベル変化を高速に伝えることができるが、時刻Ｔ１およびＴ３におけるレベル変化を高速に伝えることができない。一方、第２の伝送回路５では、時刻Ｔ１およびＴ３におけるレベル変化を高速に伝えることができる。そこで、電圧Ｖ１１の立ち上がりのレベル変化については電圧Ｖ１３の立ち上がりで検出し、電圧Ｖ１１の立ち下りのレベル変化については電圧Ｖ２３の立ち上がりで検出すれば、電圧Ｖ１１の立ち上がり、立ち下りのどちらのレベル変化も高速に検出することができる。
【００４４】
信号再生部６では、図２（ｃ）のように、まず電圧Ｖ２３の立ち上がりエッジで電圧Ｖ１１の立ち下りを検出し、再生信号Ｖｏｕｔを立ち下げる。次に電圧Ｖ１３の立ち上がりエッジで電圧Ｖ１１の立ち上がりを検出し、再生信号Ｖｏｕｔを立ち上げる。さらに次の電圧Ｖ２３の立ち上がりエッジで電圧Ｖ１１の立ち下りを検出し、再生信号Ｖｏｕｔを立ち下げる。すなわち、信号再生部６は電圧Ｖ１３の立ち上りエッジを電圧Ｖ１１の立ち上がり、Ｖ２３の立ち上がりエッジを電圧Ｖ１１の立ち下りのタイミングとして認識し、電圧Ｖ１１の再生信号Ｖｏｕｔを生成する。
【００４５】
再生信号Ｖｏｕｔは、電圧Ｖ１１の立ち上がりエッジ、立下りエッジの両方に対して同じ遅延量を持つ。そのため、従来例と比較して、伝送回路の立ち上がり遅延時間と立ち下り遅延時間の違いに起因した波形歪みが生じない。
【００４６】
このように、第１の伝送回路のほかに、論理反転した信号を伝送する第２の伝送回路を設け、それぞれの伝送回路の伝送信号の立ち上がりエッジを組み合わせてパルス信号を再生することにより、伝送回路の立ち上がり遅延時間と立ち下り遅延時間の違いに起因する波形歪みを防止することができる。
【００４７】
なお、本実施例では信号の再生に電圧Ｖ１３とＶ２３の立ち上がりエッジを使用したが、立ち下りエッジを使用してもよい。使用するエッジの種類を統一することによって、立ち上がり遅延時間と立ち下り遅延時間の違いに起因する波形歪みを防止することができる。
遅延時間の少ない方のエッジを選択すれば信号伝送の高速化を図ることができるため、高速な伝送速度と広い動作温度範囲が要求されるようなシステムにおいても、安価で一般的なフォトカプラを用いて伝送回路を構成することができ、コストおよび入手性の点で優れる。
【実施例２】
【００４８】
図３は実施例１の変形例であり、図２のインバータ４をなくし、ＦＥＴ８１とトランジスタ８３、８４でインバータ８を構成した例である。
【００４９】
図３において、トランジスタ８３と８４はコンプリメンタリのものを使用し、トランジスタ８３はＮＰＮ型、トランジスタ８４はＰＮＰ型とする。
【００５０】
図中、信号源２からローレベルの信号が出力されると、Ａ点の電圧レベルはハイレベルとなる。Ａ点の電圧レベルがハイレベルのときはトランジスタ８３はオンせず、エミッタ−コレクタ間に電流が流れない。そのため、第１の伝送回路１の発光ダイオード１１ａは光らず、信号再生部６にはローレベルが伝送される。一方トランジスタ８４はオンとなってエミッタ−コレクタ間に電流が流れ、信号再生部６にはハイレベルが伝送される。そのため第２の伝送回路５の発光ダイオード２１ａは光る。
【００５１】
このようにインバータ８を構成することにより、第１と第２の伝送回路にはそれぞれ論理が反転した信号が入力され、信号再生部６にも反転した信号が伝送される。その他の全体の動作の流れは実施例１と同様である。
【図面の簡単な説明】
【００５２】
【図１】図１は本発明の信号伝送方法および信号伝送装置の一実施例を示す図。
【図２】図２は第１および第２の伝送回路の高温時の信号伝送のタイミングチャート。
【図３】図３は実施例１の変形例を示す図。
【図４】図４は従来の信号伝送回路を示す図。
【図５】図５は一般的なフォトカプラの特性を示す図。
【図６】図６は図４の信号伝送回路の高温時の信号伝送のタイミングチャート。
【符号の説明】
【００５３】
１      第１の伝送回路
２      信号源
３      受信機器
４      インバータ
５      第２の伝送回路
６      信号伝送部
７      伝送部
１１、２１      フォトカプラ
１１ａ、２１ａ  発光ダイオード
１１ｂ、２１ｂ  フォトトランジスタ
１２、２２      ＦＥＴ
１３、２３      シュミットトリガ
Ｒ１１〜Ｒ１３、Ｒ２１〜Ｒ２３  抵抗
【図１】
2008016949.tif 000003
【図２】
2008016949.tif 000004
【図３】
2008016949.tif 000005
【図４】
2008016949.tif 000006
【図５】
2008016949.tif 000007
【図６】
2008016949.tif 000008